(57)【要約】【課題】特に団体の入退場管理を迅速かつ正確に行うような入退場管理システムを提供する。【解決手段】電磁結合された非接触ＩＣカード１０から来訪者識別データを非接触で読み出す読み書き部２１と、読み書き部２１から送信される複数の来訪者識別データを入力して来訪者一覧データを生成する来訪者側処理装置２２と、来訪者側処理装置２２で生成した来訪者一覧データを送信する通信装置２３と、を有する来訪者側入退場管理装置２０と、送信された来訪者一覧データを受信する通信装置３１と、受信した来訪者一覧データに基づいて入場する来訪者を表示する受付側処理装置３２と、を有する受付側入退場管理装置３０と、を備える入退場管理システム１とする。【選択図】図１
2008015607.tif 000002
【特許請求の範囲】
【請求項１】
非接触ＩＣカードが電磁結合された場合にその非接触ＩＣカードから来訪者識別データを非接触で読み出す読み出し部と、読み出し部から送信される複数の来訪者識別データを入力して来訪者一覧データを生成する来訪者側処理装置と、来訪者側処理装置で生成した来訪者一覧データを送信する通信装置と、を有する来訪者側入退場管理装置と、
来訪者側入退場管理装置から送信された来訪者一覧データを受信する通信装置と、受信した来訪者一覧データに基づいて入場する来訪者を表示する受付側処理装置と、を有する受付側入退場管理装置と、
を備えることを特徴とする入退場管理システム。
【請求項２】
請求項１に記載された入退場管理システムにおいて、
来訪者側入退場管理装置は、来訪者側処理装置に接続されて来訪者の入場終了を確定する入場ボタンを備え、
来訪者側処理装置は、入場ボタンが押された場合に来訪者一覧データに含まれる入退場データを入場に設定して来訪者一覧データを確定するとともにこの来訪者一覧データを送信する手段と、
受付側処理装置は、受信した来訪者一覧データに基づいて来訪者の入場を表示する手段と、
として機能することを特徴とする入退場管理システム。
【請求項３】
請求項２に記載された入退場管理システムにおいて、
来訪者側入退場管理装置は、来訪者側処理装置に接続されて来訪者の退場終了を確定する退場ボタンを備え、
来訪者側処理装置は、退場ボタンが押された場合に来訪者一覧データに含まれる入退場データを退場に設定して来訪者一覧データを確定するとともにこの来訪者一覧データを送信する手段と、
受付側処理装置は、受信した来訪者一覧データに基づいて来訪者の退場を表示する手段と、
として機能することを特徴とする入退場管理システム。
【請求項４】
請求項３に記載された入退場管理システムにおいて、
受付側入退場管理装置の受付側処理装置は、来訪者一覧データに基づいて、入退場記録表示および未退場者・退場者一覧表示を行うことを特徴とする入退場管理システム。
【請求項５】
請求項１〜請求４の何れか一項に記載の入退場管理システムにおいて、
複数の来訪者側入退場管理装置はそれぞれ異なる装置識別データが登録されていて来訪者一覧データはこの装置識別データを含むデータであり、
受付側入退場管理装置の受付側処理装置では装置識別データ毎に区分される識別表示を併せて表示することを特徴とする入退場管理システム。
【請求項６】
請求項１〜請求項５の何れか一項に記載の入退場管理システムにおいて、
ネットワークを介して受付側入退場管理装置の受付側処理装置と接続される管理部門側入退場管理装置の管理部門側処理装置を備え、
管理部門側処理装置は、来訪者一覧データを登録する手段と、
登録した来訪者一覧データをネットワークを介して受付側入退場管理装置の受付側処理装置へ送信する手段と、
として機能することを特徴とする入退場管理システム。
【請求項７】
請求項６に記載された入退場管理システムにおいて、
管理部門側入退場管理装置の管理部門側処理装置に接続され、非接触ＩＣカードが電磁結合された場合に、その非接触ＩＣカードへ来訪者識別データを非接触で書き込む書き込み部を備え、
管理部門側処理装置は、登録した来訪者一覧データに含まれる個々の来訪者識別データをそれぞれ非接触ＩＣカードへ書き込むよう書き込み部を制御する手段として機能することを特徴とする入退場管理システム。
【請求項８】
請求項１〜請求項７の何れか一項に記載の入退場管理システムにおいて、
受付側入退場管理装置の受付側処理装置に接続され、非接触ＩＣカードが電磁結合された場合にその非接触ＩＣカードから来訪者識別データを非接触で読み出す読み出し部を備え、
受付側処理装置は、接続される読み出し部から来訪者識別データが入力された場合に来訪者一覧データの当該来訪者の入退場データを退場に設定して来訪者一覧データを確定する手段と、
来訪者一覧データに基づいて来訪者の退場を表示する手段と、
として機能することを特徴とする入退場管理システム。
【発明の詳細な説明】
【技術分野】
【０００１】
本発明は、非接触ＩＣカードを用いて入退場を管理する入退場管理システムに関する。
【背景技術】
【０００２】
入退場管理システムの従来技術として例えば特許文献１（特許公報第２８０７４１９号，発明の名称「入退所管理システム」）が知られている。この従来技術は中央の監視所に設置する入退所管理親局装置と、遠隔地に複数散在する無人施設に設置する入退所管理子局装置と、これらを電話回線で接続する伝送手段とを備えた入退所管理システムである。親局装置は、無人施設の場所、入所日、入所者、入所目的を予め登録及び記憶して入所者へ所定の情報を書き込んだ入所許可カードを発行する。子局装置は、カードリーダーにより入所許可カードを読み取り、所定の入所情報及び退所情報をそれぞれ伝送手段を介して親局装置へ伝送し、親局装置で登録された情報を入所情報と照合した結果に基づいて入所許可／不可情報を表示する。これにより、入退所管理帳簿の作成を簡略化し、また入退所の都度電話を掛けたり受けたりする手間を無くし、省力化を図っている。
【０００３】
【特許文献１】特許公報第２８０７４１９号（図１）
【発明の開示】
【発明が解決しようとする課題】
【０００４】
入退場管理の困難な例として団体による来訪者の入退場の管理がある。特許文献１に記載された従来技術では、団体（少なくとも来訪者二人以上の集団）による見学者が入退場をする場合、カードリーダでの読み出しのため見学者による長蛇の列が形成され、さらには、その隙に乗じて不審者が侵入するおそれもあった。このように従来技術では来訪者の数が多い場合（特に団体による来訪の場合）には、認証の漏れなどがおこるおそれがあり、団体のような場合でも、迅速かつ正確な入退場管理を行いたいという要請があった。また、構成も簡素化したいという要請もあった。
【０００５】
そこで、本発明は、上述の課題を解決するためになされたものであり、その目的は、特に団体の入退場管理を迅速かつ正確に行うような入退場管理システムを提供することにある。
【課題を解決するための手段】
【０００６】
本発明の請求項１に係る入退場管理システムは、
非接触ＩＣカードが電磁結合された場合にその非接触ＩＣカードから来訪者識別データを非接触で読み出す読み出し部と、読み出し部から送信される複数の来訪者識別データを入力して来訪者一覧データを生成する来訪者側処理装置と、来訪者側処理装置で生成した来訪者一覧データを送信する通信装置と、を有する来訪者側入退場管理装置と、
来訪者側入退場管理装置から送信された来訪者一覧データを受信する通信装置と、受信した来訪者一覧データに基づいて入場する来訪者を表示する受付側処理装置と、を有する受付側入退場管理装置と、
を備えることを特徴とする。
【０００７】
また、本発明の請求項２に係る入退場管理システムは、
請求項１に記載された入退場管理システムにおいて、
来訪者側入退場管理装置は、来訪者側処理装置に接続されて来訪者の入場終了を確定する入場ボタンを備え、
来訪者側処理装置は、入場ボタンが押された場合に来訪者一覧データに含まれる入退場データを入場に設定して来訪者一覧データを確定するとともにこの来訪者一覧データを送信する手段と、
受付側処理装置は、受信した来訪者一覧データに基づいて来訪者の入場を表示する手段と、
として機能することを特徴とする。
【０００８】
また、本発明の請求項３に係る入退場管理システムは、
請求項２に記載された入退場管理システムにおいて、
来訪者側入退場管理装置は、来訪者側処理装置に接続されて来訪者の退場終了を確定する退場ボタンを備え、
来訪者側処理装置は、退場ボタンが押された場合に来訪者一覧データに含まれる入退場データを退場に設定して来訪者一覧データを確定するとともにこの来訪者一覧データを送信する手段と、
受付側処理装置は、受信した来訪者一覧データに基づいて来訪者の退場を表示する手段と、
として機能することを特徴とする。
【０００９】
また、本発明の請求項４に係る入退場管理システムは、
請求項３に記載された入退場管理システムにおいて、
受付側入退場管理装置の受付側処理装置は、来訪者一覧データに基づいて、入退場記録表示および未退場者・退場者一覧表示を行うことを特徴とする。
【００１０】
また、本発明の請求項５に係る入退場管理システムは、
請求項１〜請求４の何れか一項に記載の入退場管理システムにおいて、
複数の来訪者側入退場管理装置はそれぞれ異なる装置識別データが登録されていて来訪者一覧データはこの装置識別データを含むデータであり、
受付側入退場管理装置の受付側処理装置では装置識別データ毎に区分される識別表示を併せて表示することを特徴とする。
【００１１】
また、本発明の請求項６に係る入退場管理システムは、
請求項１〜請求項５の何れか一項に記載の入退場管理システムにおいて、
ネットワークを介して受付側入退場管理装置の受付側処理装置と接続される管理部門側入退場管理装置の管理部門側処理装置を備え、
管理部門側処理装置は、来訪者一覧データを登録する手段と、
登録した来訪者一覧データをネットワークを介して受付側入退場管理装置の受付側処理装置へ送信する手段と、
として機能することを特徴とする。
【００１２】
また、本発明の請求項７に係る入退場管理システムは、
請求項６に記載された入退場管理システムにおいて、
管理部門側入退場管理装置の管理部門側処理装置に接続され、非接触ＩＣカードが電磁結合された場合に、その非接触ＩＣカードへ来訪者識別データを非接触で書き込む書き込み部を備え、
管理部門側処理装置は、登録した来訪者一覧データに含まれる個々の来訪者識別データをそれぞれ非接触ＩＣカードへ書き込むよう書き込み部を制御する手段として機能することを特徴とする。
【００１３】
また、本発明の請求項８に係る入退場管理システムは、
請求項１〜請求項７の何れか一項に記載の入退場管理システムにおいて、
受付側入退場管理装置の受付側処理装置に接続され、非接触ＩＣカードが電磁結合された場合にその非接触ＩＣカードから来訪者識別データを非接触で読み出す読み出し部を備え、
受付側処理装置は、接続される読み出し部から来訪者識別データが入力された場合に来訪者一覧データの当該来訪者の入退場データを退場に設定して来訪者一覧データを確定する手段と、
来訪者一覧データに基づいて来訪者の退場を表示する手段と、
として機能することを特徴とする。
【発明の効果】
【００１４】
本発明の入退場管理システムによれば、団体の入退場管理を迅速かつ正確に行うような入退場管理システムを提供することができる。
【発明を実施するための最良の形態】
【００１５】
本発明の入退場管理システムを実施するための最良の形態について図に基づき説明する。図１は本形態の入退場管理システムの概略図である。図２は読み書き部による非接触ＩＣカードへの読み書きについて説明する説明図である。図３は来訪者側処理装置の説明図である。図４は受付側処理装置のディスプレイの表示を説明する説明図であり、図４（ａ）は入場時の入退場記録表示を示す図、図４（ｂ）は退場時の入退場記録表示を示す図、図４（ｃ）は未退場者・退場者一覧表示を示す図である。
【００１６】
本形態では乗物に乗って目的施設への入退場を行う際に用いられるものである。乗物として大型バス・小型マイクロバス・セダンなどに適用でき、また、目的施設として電気制御所・変電所・工場・高層ビルディング・学校・動物園など団体で入場する各種施設に適用できる。本形態では、説明の具体化のため、乗物として複数台の大型バスを、また、目的施設として工場を想定して説明する。入退場管理システム１は、図１で示すように、複数枚の非接触ＩＣカード１０、来訪者側入退場管理装置２０、受付側入退場管理装置３０を備える。来訪者側入退場管理装置２０は、一台の大型バスにつき一台設置されるものであり、本形態では複数の来訪者側入退場管理装置２０を備える。この大型バス一台に多数の来訪者が乗っており、一の来訪者側入退場管理装置２０に複数枚の非接触ＩＣカード１０が対応する。
【００１７】
非接触ＩＣカード１０は、来訪者識別データが登録されている。来訪者識別データは、詳しくは、来訪者特定データ（氏名、所属部門、住所、電話番号という各データ）、および、来訪許可データ（許可来訪日時・来訪許可施設という各データ）というようなデータである。なお、各種施設受付側である事業者としては、これら来訪者特定データの取り扱いに関し、個人情報保護を定めた法令遵守はもとより、その趣旨に則って適正に取り扱いがなされる。
【００１８】
来訪者側入退場管理装置２０は、読み書き部（リーダ／ライタ）２１、来訪者側処理装置（タッチパネル）２２、通信装置（無線ＬＡＮ）２３を備える。
読み書き部２１は、本発明の読み出し部の具体例であり、読み出し機能（リーダ機能）と書き込み機能（ライタ機能）とをともに備える。たとえば、図２のように非接触ＩＣカード１０をかざして読み書きを行う。なお、このような読み書き部２１による読み出し・書き込みは、後述する読み書き部３３，５１でも同様である。この読み書き部２１は来訪者側処理装置２２と通信可能に接続される。
【００１９】
来訪者側処理装置２２は、たとえばバスの乗降口に設置されるような携帯型のコンピュータであり、図３で示すように、入場ボタン２４、退場ボタン２５、選択ボタン（↑ボタン、↓ボタン）２６、表示部２７を備える。表示部２７は、入場者や退場者についての情報を表示する。このような来訪者側処理装置２２は通信装置２３と接続される。
通信装置２３は、遠隔地にある他の通信装置３１と通信する。
来訪者側入退場管理装置２０はこのようなものである。
【００２０】
受付側入退場管理装置３０は、図１で示すように通信装置（無線ＬＡＮ）３１、受付側処理装置（コンピュータ）３２を備える。
通信装置３１は、先に説明した来訪者側入退場管理装置２０の通信装置２３と通信する。ここに通信装置２３，３１は無線ＬＡＮであり、例えば、大型バスが目的施設である工場内の受付前の所定箇所で停車したときに、自動的に通信装置２３，３１が無線ＬＡＮとして通信可能になるというものであり、受付可能範囲を設定可能にし、また、通信の手間も低減している。この通信装置３１は、受付側処理装置３２と接続される。
受付側処理装置３２は、通常のデスクトップやラップトップ型のコンピュータである。図示しないディスプレイ表示部では図４のように各種情報が表示される。このような受付側入退場管理装置３０は、たとえば工場正門や裏門の守衛所・建家にある受付に設置される。
【００２１】
続いてこのような入退場管理システム１の各構成の動作とともに入場管理の一連の処理について説明する。図５は入場時の来訪者側処理装置の処理を説明するフローチャートである。図６は入場時の受付側処理装置の処理を説明するフローチャートである。
団体入場の申し込みが行われると、非接触ＩＣカード１０への来訪者識別データの登録処理が行われる。
この登録は、例えば、入場申し込み時に送られた申込書・メール等に記載された情報に基づき来訪者特定データを、また、交渉により決定された訪問日に基づき来訪許可データを非接触ＩＣカード１０に登録する。つまり一枚の非接触ＩＣカード１０には、来訪者識別データとしてある一人の来訪者についての来訪者特定データ・来訪許可データが登録されている。このような登録は全ての来訪者について行われ、多数の非接触ＩＣカード１０が準備される。この全来訪者それぞれに準備された多数枚の非接触ＩＣカード１０を当該団体へ入場券として一括送付することで実現する。
【００２２】
続いて、複数の大型バスに乗って全来訪者が目的施設へ訪れるものとする。大型バスにはそれぞれ来訪者側入退場管理装置２０が設置されているものとする。また、全来訪者はそれぞれが予め配布された一枚の非接触ＩＣカード１０を所有しているものとする。目的地へ到着して大型バスから降車するときに、非接触ＩＣカード１０を来訪者側入退場管理装置２０の読み書き部２１にかざしてから降車する。
非接触ＩＣカード１０が読み書き部２１にかざされたとき、非接触ＩＣカード１０と読み書き部２１とは電磁結合する。読み書き部２１は、非接触ＩＣカード１０に書き込まれている来訪者識別データを読み出し、来訪者側処理装置２２へこの来訪者識別データを送信する。
なお、出発地で大型バスに乗り込む際に、あるいは車中で、予め非接触ＩＣカード１０を来訪者側入退場管理装置２０の読み書き部２１にかざし、来訪者側処理装置２２へ来訪者識別データを送信しておいてもよい。
【００２３】
来訪者側処理装置２２は、図５のフローにより処理するものであり、読み書き部２１から来訪者識別データが送信されたか否かについて判断し（ステップＳ１１）、来訪者識別データが送信されたと判断したならば（ステップＳ１１でＹＥＳ）、来訪者識別データで特定される来訪者は入場するものとして来訪者一覧データに登録する（ステップＳ１２）。来訪者一覧データは、多数の来訪者の来訪者識別データをまとめたデータであり、来訪者の入退場を表す入退場データが付加されている。さらに来訪者側処理装置２２（あるいは来訪者側処理装置２２が搭載された乗物）を識別する装置識別データも付加されている。ここで来訪者一覧データでは多数の来訪者について登録されるため、この来訪者一覧データはたとえばＣＳＶ方式のデータである。
【００２４】
来訪者側処理装置２２は入場ボタン２４が押されたか否かについて判断し（ステップＳ１３）、入場ボタン２４が押されていないと判断したならば（ステップＳ１３でＮＯ）、そのままステップＳ１１の先頭まで戻ってステップＳ１１〜ステップＳ１３の処理を繰り返すが、入場ボタン２４が押されたと判断したならば（ステップＳ１３でＹＥＳ）、すべての来訪者が入場したものとしてこの来訪者一覧データに含まれる来訪者別の入退場データを、すべて入場を表すデータ（例えばフラグで０１）として入場に設定するとともに来訪者一覧データを確定し、この来訪者一覧データを受付側入退場管理装置３０へ向けて送信する（ステップＳ１４）。来訪者一覧データは通信装置（無線ＬＡＮ）２３へ送信される。
通信装置（無線ＬＡＮ）２３は、来訪者一覧データに暗号化等を施し、送信信号に変調して外部へ送信する。
【００２５】
受付側入退場管理装置３０の通信装置（無線ＬＡＮ）３１は、送信信号を受信のうえ復調し、さらに復号して来訪者一覧データを再生し、この来訪者一覧データを受付側処理装置（コンピュータ）３２へ送信する。
受付側処理装置３２は、図６のフローにより処理するものであり、通信装置３１から来訪者一覧データが送信されたか否かについて判断し（ステップＳ２１）、来訪者一覧データが送信されたと判断したならば（ステップＳ２１でＹＥＳ）、来訪者一覧データから表形式の来訪者表示一覧データを生成し、受付側処理装置３２に接続されるディスプレイに表示する（ステップＳ２２）。ここで入場時刻は、来訪者一覧データが受信された時刻とする。ＣＳＶ方式の来訪者一覧データに対して、たとえばEXCEL（登録商標）などの表形式のデータに変換して表示するものである。ディスプレイでは図４（ａ）で示すように来訪者の「氏名」、「乗車バス」、「入退場時刻」、「入退場別」を表示する。「入退場別」は入退場データから判別されるものであり全員入場となっている。また、「乗車バス」は本発明の装置識別データにより特定されるという例であり、来訪者側処理装置２２に予め装置識別データとして乗車バスを特定するデータ（本形態では「バス１号車」などの文字データ。なお、他の来訪者側処理装置２２では「バス４号車」という文字データが登録されている。）を登録しておき、この装置識別データから乗車バスを特定する「バス１号車」という表示を行うというものである。なお、来訪許可データを参照して許可来訪日時が一致しないときや、来訪許可施設が異なっている場合に警告を報知するような処理を行っても良い。
【００２６】
続いて退場するときについて図を参照しつつ説明する。図７は退場時の来訪者側処理装置の処理を説明するフローチャートである。図８は退場時の受付側処理装置の処理を説明するフローチャートである。退場のため帰路のバスに乗車するときに読み書き部２１へ非接触ＩＣカード１０をかざせば、来訪者識別データが読み出される。そこで、来訪者側処理装置２２へこの来訪者識別データを送信する。
【００２７】
来訪者側処理装置２２は、図７のフローにより処理するものであって、読み書き部２１から来訪者認識データが送信されたか否かについて判断し（ステップＳ３１）、来訪者認識データが送信されたと判断したならば（ステップＳ３１でＹＥＳ）、来訪者識別データで特定される来訪者は退場するものとして来訪者一覧データに登録する（ステップＳ３２）。
【００２８】
来訪者側処理装置２２は退場ボタン２５が押されたか否かについて判断し（ステップＳ３３）、退場ボタン２５が押されていないと判断したならば（ステップＳ３３でＮＯ）、そのままステップＳ３１の先頭まで戻ってステップＳ３１〜ステップＳ３３を繰り返し、退場ボタン２５が押されたと判断したならば（ステップＳ３３でＹＥＳ）、すべての来訪者が退場したものとしてこの来訪者一覧データに含まれる来訪者別の入退場データを、退場を表すデータ（例えばフラグで００）として退場に設定するとともに来訪者一覧データを確定し、この来訪者一覧データを受付側入退場管理装置３０へ向けて送信する（ステップＳ３４）。来訪者一覧データは通信装置（無線ＬＡＮ）２３、受付側入退場管理装置３０の通信装置（無線ＬＡＮ）３１を介して、受付側処理装置３２へ送信する。
受付側処理装置３２は、図８のフローにより処理するものであり、通信装置３１から来訪者一覧データが送信されたか否かについて判断し（ステップＳ４１）、来訪者一覧データが送信されたと判断したならば（ステップＳ４１でＹＥＳ）、来訪者一覧データを処理し、表形式の来訪者表示一覧データを生成し、受付側処理装置３２に接続されるディスプレイに表示する（ステップＳ４２）。退場時刻は、来訪者一覧データが受信された時刻とする。これにより、入場者が退場したか否かを確認することができる。図４（ｂ）で示すように、退場が受け付けられた来訪者は入退場別に退場が表示される。本例ではバス１号車に乗車していた来訪者全員が退場したが、バス４号車の来訪者はまだ退場が終わっていない例を示している。このような区別は装置識別データから容易に行うことができる。さらに、図４（ｃ）で示すように、未退場者・退場者一覧表示のように未退場者や退場者を一覧にして表示するようにしても良い。
【００２９】
このような本発明によれば、出発地で大型バスへの乗車から目的施設に到着して降車するまでに入場の受付が終了しているため、受付に入場者が集中するような事態もなくなり、特に団体の来訪者の入退場の受付で効果的であり、受付では団体の来訪者の入退場時でも不審者が侵入する事態を防止する確率を高めることができる。
【００３０】
続いて他の形態について図を参照しつつ説明する。図９は他の形態の入退場管理システムの概略図である。図１０は管理部門側処理装置の処理を説明するフローチャートである。図１１は受付側処理装置の処理を説明するフローチャートである。本形態では、入退場を拡大して行えるようにした入退場管理システム２である。
本形態の入退場管理システム２では、先に図１を用いて説明したシステムに加え、さらにネットワーク４０を介して管理部側入退場管理装置５０に接続される構成である。管理部側入退場管理装置５０は、読み書き部（リーダ／ライタ）５１、管理部門側処理装置（コンピュータ）５２を備えている。また、受付側入退場管理装置３０では、受付側処理装置３２に読み書き部（リーダ／ライタ）３３が接続されており、受付でも非接触ＩＣカード１０に対して読み書きできるようになされている。
【００３１】
以下、具体例を挙げて説明する。たとえば、管理部門に対して入場依頼が通知されたものとする。管理部門では入場希望者を識別するためのデータ、詳しくは来訪者特定データ（氏名、所属部門、住所、電話番号という各データ）を通知してもらう。管理部門ではこれら来訪者特定データに基づいて、図１０のフローによる処理のように、入場希望者を識別する来訪者識別データ（詳しくは来訪者特定データおよび来訪許可データ（許可来訪日時・来訪許可施設という各データ））を生成する。さらにこのような来訪者識別データから、来訪者一覧データを作成する。これらのような来訪者識別データ・来訪者一覧データを登録する（ステップＳ５１）。この来訪者一覧データの入退場データに対して入場予定であることを表すデータ（例えばフラグで１１）として併せて登録する。
【００３２】
続いて、本発明の書き込み部の具体例である読み書き部５１に非接触ＩＣカード１０をかざして電磁結合させた状態でデータを書き込むことで、非接触ＩＣカード１０に来訪者識別データが登録される（ステップＳ５２）。このような非接触ＩＣカード１０は登録した来訪者一覧データに乗っている来訪者の数だけ作成される。なお、社会見学のような場合には学級ごと、班ごとというように一枚の非接触ＩＣカード１０に多数の来訪予定者を登録してもよい。この場合、来訪者識別データは学級名、班名が氏名に代わって記載されることとなる。このようにして書き込みがなされた非接触ＩＣカード１０は来訪予定日の前に郵送したり、あるいは見学当日の乗物（バス等）の中で渡すようにしてもよい。
さらに、この来訪者一覧データを受付側処理装置３２へ送信する（ステップＳ５３）。受付側処理装置３２では来訪者一覧データから来訪者を予め把握することができる。
【００３３】
その後はバスに乗って入場する場合、先の説明と同様に入場するが、受付側処理装置３２が来訪者側処理装置２２から来訪者一覧データを受信したとき、受付側処理装置３２は、予め登録されている来訪者一覧データと比較し、来訪者数、来訪者の名称が一致していれば、その旨を報知する。これにより、受付では特別な作業をしなくても予定していた来訪者が変更なく来訪したことを確認できる。また、少ない場合には欠員がでたと判定できる。なお、増員（つまり予定外の人が来ている）場合には、不審者の侵入警戒のため、特に名前を確認することも可能となる。このように来訪者の欠員・増員が判定できるようになる。
【００３４】
さらに退場時に大型バスに乗らないで帰るような場合に受付で非接触ＩＣカード１０を回収するため、たとえば、受付に設置された読み書き部３３（図９参照）に非接触ＩＣカード１０をかざして受付側処理装置３２に直接退場を登録してもよい。
この場合、受付側処理装置３２は読み書き部３３から来訪者識別データが送信された場合、来訪者一覧データを直接変更するものであり、来訪者一覧データにおいて、来訪者識別データで識別される来訪者の入退場データを退場を表すデータに変更するとともに退場時間を特定する。このようにすれば、受付から直接工場を出ることも可能となる。
【００３５】
以上本発明の各種形態について説明した。しかしながら、上記形態では各種の変形形態が可能である。例えば、非接触ＩＣカード１０は読み書き部に密着・近接させたときに電磁結合するものとして説明した。しかしながら、多少離れていても電磁結合する遠隔型の非接触ＩＣカード１０を採用しても良い。
【００３６】
このような入退場管理システムによれば、乗物単位で出発地での乗車から目的施設に到着した降車の間に入場を受け付け、また、帰路の乗車と同時に退場を受け付けるため、受付等で入退場処理を行う必要がなくなって、特に団体の入退場管理を迅速かつ正確に行うことができるようになった。
【図面の簡単な説明】
【００３７】
【図１】本発明を実施するための最良の形態の入退場管理システムの概略図である。
【図２】読み書き部による非接触ＩＣカードへの読み書きについて説明する説明図である。
【図３】来訪者側処理装置の説明図である。
【図４】受付側処理装置のディスプレイの表示を説明する説明図であり、図４（ａ）は入場時の入退場記録表示を示す図、図４（ｂ）は退場時の入退場記録表示を示す図、図４（ｃ）は未退場者・退場者一覧表示を示す図である。
【図５】入場時の来訪者側処理装置の処理を説明するフローチャートである。
【図６】入場時の受付側処理装置の処理を説明するフローチャートである。
【図７】退場時の来訪者側処理装置の処理を説明するフローチャートである。
【図８】退場時の受付側処理装置の処理を説明するフローチャートである
【図９】他の形態の入退場管理システムの概略図である。
【図１０】管理部門側処理装置の処理を説明するフローチャートである。
【図１１】受付側処理装置の処理を説明するフローチャートである。
【符号の説明】
【００３８】
１，２：入退場管理システム
１０：非接触ＩＣカード
２０：来訪者側入退場管理装置
２１：読み書き部（リーダ／ライタ）
２２：来訪者側処理装置（タッチパネル）
２３：通信装置（無線ＬＡＮ）
２４：入場ボタン
２５：退場ボタン
２６：選択ボタン
２７：表示部
３０：受付側入退場管理装置
３１：通信装置（無線ＬＡＮ）
３２：受付側処理装置（コンピュータ）
３３：読み書き部（リーダ／ライタ）
４０：ネットワーク
５０：管理部門側入退場管理装置
５１：読み書き部（リーダ／ライタ）
５２：管理部門側処理装置（コンピュータ）
【図１】
2008015607.tif 000003
【図２】
2008015607.tif 000004
【図３】
2008015607.tif 000005
【図４】
2008015607.tif 000006
【図５】
2008015607.tif 000007
【図６】
2008015607.tif 000008
【図７】
2008015607.tif 000009
【図８】
2008015607.tif 000010
【図９】
2008015607.tif 000011
【図１０】
2008015607.tif 000012
【図１１】
2008015607.tif 000013